【手続補正書】
【提出日】平成27年9月28日(2015.9.28)
【手続補正１】
【補正対象書類名】特許請求の範囲
【補正対象項目名】全文
【補正方法】変更
【補正の内容】
【特許請求の範囲】
【請求項１】
ビデオデータをコーディングするように構成された装置であって、
第１の空間解像度を有する第１のレイヤと前記第１の空間解像度に対して異なる第２の空間解像度を有する第２のレイヤとに関連付けられたビデオデータを記憶するように構成されたメモリユニットであって、前記第１のレイヤに関連付けられた前記ビデオデータは少なくとも第１のレイヤブロックと前記第１のレイヤブロックに関連付けられた第１のレイヤ予測モード情報とを含み、前記第１のレイヤブロックは各サブブロックが前記第１のレイヤ予測モード情報の該当の予測モードデータに関連付けられた複数のサブブロックを含む、メモリユニットと、
前記メモリユニットと通信するプロセッサと、
を備え、前記プロセッサは、
選択規則に少なくとも基づいて、前記複数のサブブロックのうちの１つに関連付けられた前記予測モードデータを導出することと、
前記導出された予測モードデータおよび前記第１のレイヤブロックをアップサンプルすることであって、前記アップサンプルされた第１のレイヤブロックは、複数のアップサンプルされたサブブロックを含む、アップサンプルすることと、
前記複数のアップサンプルされたサブブロックの各アップサンプルされたサブブロックに関連付けられた前記予測モードデータとして、前記アップサンプルされた予測モードデータを割り当てることと、
インターレイヤピクチャに、前記複数のアップサンプルされたサブブロックと前記複数のアップサンプルされたサブブロックの各アップサンプルされたサブブロックに関連付けられた前記予測モードデータとして割り当てられた前記アップサンプルされた予測モードデータとを記憶することと、
前記第２のレイヤのインター予測のために使用可能な参照ピクチャリストに前記インターレイヤピクチャを追加することと
を行うように構成される、装置。
【請求項２】
前記選択規則に従って、前記プロセッサは、前記第１のレイヤブロックの１つまたは複数の他のサブブロックに対する第１のサブブロックのロケーションに少なくとも基づいて、前記複数のサブブロックの前記第１のサブブロックに関連付けられた前記予測モードデータを選択するように構成される、請求項１に記載の装置。
【請求項３】
前記第１のサブブロックは、前記第１のレイヤブロックの前記複数のサブブロックのうちの１つが各々の側に隣接した中心のサブブロックである、請求項２に記載の装置。
【請求項４】
前記プロセッサは信号フラグに従って前記選択規則を決定するように構成される、請求項１に記載の装置。
【請求項５】
前記プロセッサは、前記参照ピクチャリストに追加された前記インターレイヤピクチャに記憶された、前記複数のアップサンプルされたサブブロックと前記複数のアップサンプルされたサブブロックの各アップサンプルされたサブブロックに関連付けられた前記予測モードデータとして割り当てられた前記アップサンプルされた予測モードデータとを使用して、前記第２のレイヤ内の第２のレイヤブロックの各サブブロックのために予測された値を決定するように構成され、前記第１のレイヤブロックが前記第２のレイヤ内の前記第２のレイヤブロックの位置に対応する前記第１のレイヤ内の前記位置に配置される、請求項１に記載の装置。
【請求項６】
前記第１のレイヤブロックの各サブブロックに関連付けられた前記該当の予測モードデータは動きベクトルを備える、請求項１に記載の装置。
【請求項７】
前記アップサンプルされた予測モードデータと前記導出された予測モードデータとの間の空間解像度比は、前記第２の空間解像度と前記第１の空間解像度との間の前記空間解像度比と一致する、請求項１に記載の装置。
【請求項８】
前記プロセッサは、
第１のコーダ−デコーダ（コーデック）が前記第１のレイヤブロックを圧縮するために使用される場合に、前記アップサンプルされた第１のレイヤブロックの各アップサンプルされたサブブロックに関連付けられた前記予測モードデータとして、前記アップサンプルされた予測モードデータを割り当て、
割当規則に少なくとも基づいて、前記第１のコーデックとは異なる第２のコーデックが前記第１のレイヤ内のビデオユニットを圧縮するために使用される場合に、前記アップサンプルされた第１のレイヤブロックの各アップサンプルされたサブブロックに関連付けられた前記予測モードデータとして、デフォルト予測モードデータを割り当てる、
ように構成される、請求項１に記載の装置。
【請求項９】
前記割当規則に従って、前記プロセッサは、ゼロ動きベクトル、ゼロに等しい参照インデックス、マイナス１に等しい参照インデックス、および利用できないものとしてマーキングされた動きフィールドのうちの少なくとも１つとなる前記デフォルト予測モードデータを割り当てるように構成される、請求項８に記載の装置。
【請求項１０】
前記プロセッサは、前記参照ピクチャリストに追加された前記インターレイヤピクチャに記憶された、前記複数のアップサンプルされたサブブロックと前記複数のアップサンプルされたサブブロックの各アップサンプルされたサブブロックに関連付けられた前記予測モードデータとして割り当てられた前記アップサンプルされた予測モードデータとを使用して、前記第２のレイヤ内の第２のレイヤブロックの各サブブロックのために予測された値を決定するように構成され、前記第１のレイヤブロックは、前記第２のレイヤ内の前記第２のレイヤブロックの近傍に位置付けられた隣接している第２のレイヤブロックの位置に対応する前記第１のレイヤ内の位置に配置される、請求項１に記載の装置。
【請求項１１】
前記プロセッサはデコーダを備える、請求項１に記載の装置。
【請求項１２】
前記プロセッサはエンコーダを備える、請求項１に記載の装置。
【請求項１３】
前記装置はデバイスの一部分であり、前記デバイスはコンピュータおよびワイヤレス通信デバイスハンドセットからなるグループから選択される、請求項１に記載の装置。
【請求項１４】
ビデオデータをコーディングする方法であって、
第１の空間解像度を有する第１のレイヤと前記第１の空間解像度に対して異なる第２の空間解像度を有する第２のレイヤとに関連付けられたビデオデータを記憶することであって、前記第１のレイヤに関連付けられた前記ビデオデータは少なくとも第１のレイヤブロックと前記第１のレイヤブロックに関連付けられた第１のレイヤ予測モード情報とを含み、前記第１のレイヤブロックは各サブブロックが前記第１のレイヤ予測モード情報の該当の予測モードデータに関連付けられた複数のサブブロックを含む、記憶することと、
選択規則に少なくとも基づいて、前記複数のサブブロックのうちの１つに関連付けられた前記予測モードデータを導出することと、
前記導出された予測モードデータおよび前記第１のレイヤブロックをアップサンプルすることであって、前記アップサンプルされた第１のレイヤブロックは、複数のアップサンプルされたサブブロックを含む、アップサンプルすることと、
前記複数のアップサンプルされたサブブロックの各アップサンプルされたサブブロックに関連付けられた前記予測モードデータとして、前記アップサンプルされた予測モードデータを割り当てることと、
インターレイヤピクチャに、前記複数のアップサンプルされたサブブロックと前記複数のアップサンプルされたサブブロックの各アップサンプルされたサブブロックに関連付けられた前記予測モードデータとして割り当てられた前記アップサンプルされた予測モードデータとを記憶することと、
前記第２のレイヤのインター予測のために使用可能な参照ピクチャリストに、前記インターレイヤピクチャを追加することと
を備える、方法。
【請求項１５】
前記選択規則に従って、前記導出することは、前記第１のレイヤブロックの１つまたは複数の他のサブブロックに対する第１のサブブロックのロケーションに少なくとも基づいて、前記複数のサブブロックの前記第１のサブブロックに関連付けられた前記予測モードデータを導出することを備える、請求項１４に記載の方法。
【請求項１６】
前記第１のサブブロックは、前記第１のレイヤブロックの前記複数のサブブロックのうちの１つが各々の側に隣接した中心のサブブロックである、請求項１５に記載の方法。
【請求項１７】
信号フラグに従って前記選択規則を決定することをさらに備える、請求項１４に記載の方法。
【請求項１８】
前記参照ピクチャリストに追加された前記インターレイヤピクチャに記憶された、前記複数のアップサンプルされたサブブロックと前記複数のアップサンプルされたサブブロックの各アップサンプルされたサブブロックに関連付けられた前記予測モードデータとして割り当てられた前記アップサンプルされた予測モードデータとを使用して、前記第２のレイヤ内の第２のレイヤブロックの各サブブロックのために予測された値を決定することをさらに備え、前記第１のレイヤブロックが前記第２のレイヤ内の前記第２のレイヤブロックの位置に対応する前記第１のレイヤ内の前記位置に配置される、請求項１４に記載の方法。
【請求項１９】
前記第１のレイヤブロックの各サブブロックに関連付けられた前記該当の予測モードデータは動きベクトルを備える、請求項１４に記載の方法。
【請求項２０】
前記アップサンプルされた予測モードデータと前記導出された予測モードデータとの間の空間解像度比は、前記第２の空間解像度と前記第１の空間解像度との間の前記空間解像度比と一致する、請求項１４に記載の方法。
【請求項２１】
第１のコーダ−デコーダ（コーデック）が前記第１のレイヤブロックを圧縮するために使用される場合に、前記アップサンプルされた第１のレイヤブロックの各アップサンプルされたサブブロックに関連付けられた前記予測モードデータとして、前記アップサンプルされた予測モードデータを割り当てることと、
割当規則に少なくとも基づいて、前記第１のコーデックとは異なる第２のコーデックが前記第１のレイヤ内のビデオユニットを圧縮するために使用される場合に、前記アップサンプルされた第１のレイヤブロックの各アップサンプルされたサブブロックに関連付けられた前記予測モードデータとして、デフォルト予測モードデータを割り当てることと
をさらに備える、請求項１４に記載の方法。
【請求項２２】
前記割当規則に従って、ゼロ動きベクトル、ゼロに等しい参照インデックス、マイナス１に等しい参照インデックス、および利用できないものとしてマーキングされた動きフィールドのうちの少なくとも１つとなる前記デフォルト予測モードデータを割り当てることをさらに備える、請求項２１に記載の方法。
【請求項２３】
前記参照ピクチャリストに追加された前記インターレイヤピクチャに記憶された、前記複数のアップサンプルされたサブブロックと前記複数のアップサンプルされたサブブロックの各アップサンプルされたサブブロックに関連付けられた前記予測モードデータとして割り当てられた前記アップサンプルされた予測モードデータとを使用して、前記第２のレイヤ内の第２のレイヤブロックの各サブブロックのために予測された値を決定することをさらに備え、前記第１のレイヤブロックは、前記第２のレイヤ内の前記第２のレイヤブロックの近傍に位置付けられた、隣接している第２のレイヤブロックの位置に対応する前記第１のレイヤ内の位置に配置される、請求項１４に記載の方法。
【請求項２４】
符号化されたビデオビットストリームから抽出されたシンタックスエレメントを受信することをさらに備え、前記シンタックスエレメントは第１のレイヤビデオブロックに関連付けられた前記予測モード情報を示す、請求項１４に記載の方法。
【請求項２５】
符号化されたビデオビットストリームのためのシンタックスエレメントを生成することをさらに備え、前記シンタックスエレメントは第１のレイヤビデオブロックに関連付けられた前記予測モード情報を示す、請求項１４に記載の方法。
【請求項２６】
ビデオデータをコーディングするように構成された装置であって、
第１の空間解像度を有する第１のレイヤと前記第１の空間解像度に対して異なる第２の空間解像度を有する第２のレイヤとに関連付けられたビデオデータを記憶するための手段であって、前記第１のレイヤに関連付けられた前記ビデオデータは少なくとも第１のレイヤブロックと前記第１のレイヤブロックに関連付けられた第１のレイヤ予測モード情報とを含み、前記第１のレイヤブロックは各サブブロックが前記第１のレイヤ予測モード情報の該当の予測モードデータに関連付けられた複数のサブブロックを含む、記憶するための手段と、
選択規則に少なくとも基づいて、前記複数のサブブロックのうちの１つに関連付けられた前記予測モードデータを導出するための手段であって、アップサンプルされた第１のレイヤブロックは、複数のアップサンプルされたサブブロックを含む、導出するための手段と、
前記導出された予測モードデータおよび前記第１のレイヤブロックをアップサンプルするための手段と、
前記複数のアップサンプルされたサブブロックの各アップサンプルされたサブブロックに関連付けられた前記予測モードデータとして、前記アップサンプルされた予測モードデータを割り当てるための手段と、
インターレイヤピクチャに、前記複数のアップサンプルされたサブブロックと前記複数のアップサンプルされたサブブロックの各アップサンプルされたサブブロックに関連付けられた前記予測モードデータとして割り当てられた前記アップサンプルされた予測モードデータとを記憶するための手段と、
前記第２のレイヤのインター予測のために使用可能な参照ピクチャリストに、前記インターレイヤピクチャを追加するための手段と
を備える、装置。
【請求項２７】
前記選択規則に従って、前記導出するための手段は、前記第１のレイヤブロックの１つまたは複数の他のサブブロックに対する第１のサブブロックのロケーションに少なくとも基づいて、前記複数のサブブロックの前記第１のサブブロックに関連付けられた前記予測モードデータを導出するように構成される、請求項２６に記載の装置。
【請求項２８】
前記参照ピクチャリストに追加された前記インターレイヤピクチャに記憶された、前記複数のアップサンプルされたサブブロックと前記複数のアップサンプルされたサブブロックの各アップサンプルされたサブブロックに関連付けられた前記予測モードデータとして割り当てられた前記アップサンプルされた予測モードデータとを使用して、前記第２のレイヤ内の第２のレイヤブロックの各サブブロックのために予測された値を決定するための手段をさらに備え、前記第１のレイヤブロックが前記第２のレイヤ内の前記第２のレイヤブロックの位置に対応する前記第１のレイヤ内の前記位置に配置されるか、前記第２のレイヤ内の前記第２のレイヤブロックの近傍に位置付けられた隣接している第２のレイヤブロックの前記位置に対応する前記第１のレイヤ内の前記位置に配置される、請求項２６に記載の装置。
【請求項２９】
前記割り当てるための手段は、
第１のコーダ−デコーダ（コーデック）が前記第１のレイヤブロックを圧縮するために使用される場合に、前記アップサンプルされた第１のレイヤブロックの各アップサンプルされたサブブロックに関連付けられた前記予測モードデータとして、前記アップサンプルされた予測モードデータを割り当て、
割当規則に少なくとも基づいて、前記第１のコーデックとは異なる第２のコーデックが前記第１のレイヤ内のビデオユニットを圧縮するために使用される場合に、前記アップサンプルされた第１のレイヤブロックの各アップサンプルされたサブブロックに関連付けられた前記予測モードデータとして、デフォルト予測モードデータを割り当てる
ように構成される、請求項２６に記載の装置。
【請求項３０】
実行可能なプログラム命令を記憶する非一時的コンピュータ記憶装置であって、ビデオデータをコーディングするための装置に、
第１の空間解像度を有する第１のレイヤと前記第１の空間解像度に対して異なる第２の空間解像度を有する第２のレイヤとに関連付けられたビデオデータを記憶することであって、前記第１のレイヤに関連付けられた前記ビデオデータは少なくとも第１のレイヤブロックと、前記第１のレイヤブロックに関連付けられた第１のレイヤ予測モード情報とを含み、前記第１のレイヤブロックは各サブブロックが前記第１のレイヤ予測モード情報の該当の予測モードデータに関連付けられた複数のサブブロックを含む、記憶することと、
選択規則に少なくとも基づいて、前記複数のサブブロックのうちの１つに関連付けられた前記予測モードデータを導出することであって、アップサンプルされた第１のレイヤブロックは、複数のアップサンプルされたサブブロックを含む、導出することと、
前記導出された予測モードデータおよび前記第１のレイヤブロックをアップサンプルすることと、
前記複数のアップサンプルされたサブブロックの各アップサンプルされたサブブロックに関連付けられた前記予測モードデータとして、前記アップサンプルされた予測モードデータを割り当てることと、
インターレイヤピクチャに、前記複数のアップサンプルされたサブブロックと前記複数のアップサンプルされたサブブロックの各アップサンプルされたサブブロックに関連付けられた前記予測モードデータとして割り当てられた前記アップサンプルされた予測モードデータとを記憶することと、
前記第２のレイヤのインター予測のために使用可能な参照ピクチャリストに、前記インターレイヤピクチャを追加することと
を備える処理を行うことを指示する、非一時的コンピュータ記憶装置。
【請求項３１】
前記選択規則に従って、前記処理は、前記第１のレイヤブロックの１つまたは複数の他のサブブロックに対する第１のサブブロックのロケーションに少なくとも基づいて、前記複数のサブブロックの前記第１のサブブロックに関連付けられた前記予測モードデータを導出することを備える、請求項３０に記載の非一時的コンピュータ記憶装置。
【請求項３２】
前記処理は、前記参照ピクチャリストに追加された前記インターレイヤピクチャに記憶された、前記複数のアップサンプルされたサブブロックと前記複数のアップサンプルされたサブブロックの各アップサンプルされたサブブロックに関連付けられた前記予測モードデータとして割り当てられた前記アップサンプルされた予測モードデータとを使用して、前記第２のレイヤ内の第２のレイヤブロックの各サブブロックのために予測された値を決定することをさらに備え、前記第１のレイヤブロックが前記第２のレイヤ内の前記第２のレイヤブロックの位置に対応する前記第１のレイヤ内の前記位置に配置されるか、前記第２のレイヤ内の前記第２のレイヤブロックの近傍に位置付けられた隣接している第２のレイヤブロックの前記位置に対応する前記第１のレイヤ内の前記位置に配置される、請求項３０に記載の非一時的コンピュータ記憶装置。
【請求項３３】
前記処理は、
第１のコーダ−デコーダ（コーデック）が前記第１のレイヤブロックを圧縮するために使用される場合に、前記アップサンプルされた第１のレイヤブロックの各アップサンプルされたサブブロックに関連付けられた前記予測モードデータとして、前記アップサンプルされた予測モードデータを割り当てることと、
割当規則に少なくとも基づいて、前記第１のコーデックとは異なる第２のコーデックが前記第１のレイヤ内のビデオユニットを圧縮するために使用される場合に、前記アップサンプルされた第１のレイヤブロックの各アップサンプルされたサブブロックに関連付けられた前記予測モードデータとして、デフォルト予測モードデータを割り当てることと
を備える、請求項３０に記載の非一時的コンピュータ記憶装置。